(57)【要約】【課題】スナップフィットにより結合する部品のがたつきを防止する。【解決手段】サーボモーター１の第１突起片１１２と第２突起片１２２を先開き形状とし、第１突起片１１２を弾性変形した状態で係合面４３２と当接させ、第２突起片１２２を弾性変形した状態でピン座面３１２ａと当接させる。これによると、第１突起片１１２と係合面４３２との間、および第２突起片１２２とピン座面３１２ａとの間に隙間が発生しないため、サーボモーター１のがたつきを防止することができる。【選択図】図３
2015183841.tif 000002
【特許請求の範囲】
【請求項１】
板状の突起片（１１２、１２２）を有する第１部品（１）と、
前記突起片を挟持する保持片（４）および座面（３１２ａ）を有する第２部品（２）とを備え、
前記保持片は、前記第２部品の本体部（２１）から突出する脚部（４１）と、前記脚部の先端部から折れ曲がって延びて前記突起片と係合する係合部（４２）とを備え、
前記係合部と前記座面との間に前記突起片を挟持して前記第１部品を前記第２部品に固定する部品固定構造において、
前記突起片は、弾性変形した状態で前記係合部と当接する第１突起片（１１２）と、弾性変形した状態で前記座面と当接する第２突起片（１２２）とを備えることを特徴とする部品固定構造。
【請求項２】
前記第２部品は、前記第２部品の本体部から突出する円柱状の位置決めピン（３）と、前記位置決めピンの外周部から径方向外側に向かって突出するリブ（３２２）とを備え、
前記第１突起片および前記第２突起片は、前記位置決めピンが挿入される位置決め穴（１１２ａ、１２２ａ）を備え、
前記リブの先端が潰れた状態で前記位置決めピンと前記位置決め穴が嵌合されていることを特徴とする請求項１に記載の部品固定構造。
【請求項３】
前記第１部品は、前記第１突起片を有する第１ケース（１１）と、前記第２突起片を有する第２ケース（１２）とを備えることを特徴とする請求項１また２に記載の部品固定構造。
【請求項４】
前記第１部品は、前記第２部品の外側に配置されたサーボモーターであり、
前記第２部品は、空調風が流通する空気通路を有する空調ケースであることを特徴とする請求項１ないし３のいずれか１つに記載の部品固定構造。
【発明の詳細な説明】
【技術分野】
【０００１】
本発明は、スナップフィットにより２部品を結合する部品固定構造に関するものである。
【背景技術】
【０００２】
従来、この種の部品固定構造として、例えば特許文献１に記載されたものがある。この特許文献１に記載された部品固定構造は、第１部品に第１部品本体部から突出する板状の突起片を設け、第２部品には第２部品本体部から突出して突起片と係合する鉤状の保持片および突起片を受ける座面を設けている。また、保持片は、第２部品本体部から突出する脚部と、脚部の先端部から脚部突出方向に対して略垂直方向に折れ曲がって延びて突起片と係合する係合部とを備えている。そして、係合部と座面との間に突起片を挟持して第２部品に第１部品を固定するようになっている。
【先行技術文献】
【特許文献】
【０００３】
【特許文献１】独国特許出願公開第１０２００９０３９４０６号明細書
【発明の概要】
【発明が解決しようとする課題】
【０００４】
しかしながら、従来の部品固定構造では、係合部と座面との間に突起片を侵入させるために、係合部と座面との間の隙間が突起片の厚さよりも大きくなっている。そのため、係合部と突起片との間や座面と突起片との間に隙間が発生し、振動により第１部品ががたついて異音が発生する等の問題があった。
【０００５】
本発明は上記点に鑑みて、第１部品のがたつきを防止することを目的とする。
【課題を解決するための手段】
【０００６】
上記目的を達成するため、請求項１に記載の発明では、板状の突起片（１１２、１２２）を有する第１部品（１）と、突起片を挟持する保持片（４）および座面（３１２ａ）を有する第２部品（２）とを備え、保持片は、第２部品の本体部（２１）から突出する脚部（４１）と、脚部の先端部から折れ曲がって延びて突起片と係合する係合部（４２）とを備え、係合部と座面との間に突起片を挟持して第１部品を第２部品に固定する部品固定構造において、突起片は、弾性変形した状態で係合部と当接する第１突起片（１１２）と、弾性変形した状態で座面と当接する第２突起片（１２２）とを備えることを特徴とする。
【０００７】
これによると、第２部品の本体部の座面と第１突起片との間および係合部と第２突起片との間に隙間が発生しないため、振動による第１部品のがたつきを防止することができる。
【０００８】
なお、この欄および特許請求の範囲で記載した各手段の括弧内の符号は、後述する実施形態に記載の具体的手段との対応関係を示すものである。
【図面の簡単な説明】
【０００９】
【図１】本発明の一実施形態に係る部品固定構造を適用した空調装置の要部を示す斜視図である。
【図２】図１の空調ケースの要部およびサーボモーターの要部を示すＡ矢視図である。
【図３】図２のＩＩＩ−ＩＩＩ断面図である。
【図４】図１の空調ケースの要部を示すＡ矢視図である。
【図５】図２のサーボモーター単体のＩＩＩ−ＩＩＩ断面図である。
【図６】一実施形態の変形例を示す要部の断面図である。
【発明を実施するための形態】
【００１０】
本発明の一実施形態について説明する。図１に示すように、車室内の空調を行う空調装置は、型を用いて成形される樹脂製の空調ケース２を備えている。なお、ここでは空調ケース２の一部のみを示しているが、空調ケース２は箱形状になっており、その内部には、空調風が流通する空気通路を有するとともに、冷凍サイクルの構成部品（すなわち、蒸発器、ヒータコア等。図示せず）や、空調風の吹き出し口を開閉する吹き出し口ドア等（図示せず）が収容されている。なお、空調ケース２は、本発明の第２部品に相当する。
【００１１】
空調ケース２の外部には、吹き出し口ドアを駆動する第１部品としてのサーボモーター１が固定されている。
【００１２】
サーボモーター１は、型を用いて成形される樹脂製の第１モーターケース１１および第２モーターケース１２を備えている。第１モーターケース１１および第２モーターケース１２は、１面が開口した箱形状であり、両者を一体化することにより内部に空間が形成され、その内部空間に電動機等（図示せず）が収容されている。
【００１３】
図１〜図５に示すように、第１モーターケース１１は、１面が開口した箱形状をなす第１モーターケース本体部１１１と、第１モーターケース本体部１１１から突出するとともに弾性変形が可能な複数の板状の第１突起片１１２とを備えている。また、第１突起片１１２には、貫通した円形の第１位置決め穴１１２ａが形成されている。
【００１４】
第２モーターケース１２は、１面が開口した箱形状をなす第２モーターケース本体部１２１と、第２モーターケース本体部１２１から突出するとともに弾性変形が可能な複数の板状の第２突起片１２２とを備えている。また、第２突起片１２２には、貫通した円形の第２位置決め穴１２２ａが形成されている。
【００１５】
第１モーターケース１１と第２モーターケース１２を一体化した状態で、且つ第１突起片１１２および第２突起片１２２が弾性変形していない状態（図５に示す状態）では、第１突起片１１２と第２突起片１２２の先端側において第１突起片１１２と第２突起片１２２との間に隙間が形成されている。換言すると、この状態において、第１突起片１１２と第２突起片１２２は先開き形状になっている。
【００１６】
空調ケース２は、空気通路を形成する箱形状の空調ケース本体部２１と、空調ケース本体部２１から突出して第１位置決め穴１１２ａおよび第２位置決め穴１２２ａに挿入される複数の位置決めピン３と、空調ケース本体部２１から突出して第１突起片１１２と係合する複数の保持片４を備えている。なお、空調ケース本体部２１は、本発明の第２部品の本体部に相当する。
【００１７】
位置決めピン３は、位置決めピン基端から中間部までのピン基部３１と、ピン基部３１よりも位置決めピン先端側に位置するピン位置決め部３２と、ピン位置決め部３２よりもさらに位置決めピン先端側に位置するピンガイド部３３とを備えている。
【００１８】
ピン基部３１は、位置決めピン基端から中間部まで延びる円柱状の基部円柱部３１１と、基部円柱部３１１の外周面から径方向外側に向かって突出する３つの板状の基部板部３１２とを備えている。そして、基部板部３１２における位置決めピン先端側の端面であるピン座面３１２ａに、第２突起片１２２が当接するようになっている。
【００１９】
ピン位置決め部３２は、第１位置決め穴１１２ａおよび第２位置決め穴１２２ａと嵌合される部位であり、基部円柱部３１１と同軸に形成された円柱状の位置決め円柱部３２１と、位置決め円柱部３２１の外周面から径方向外側に向かって突出する４つのリブ３２２とを備えている。リブ３２２は、位置決め円柱部３２１の周方向に沿って等間隔に配置されている。また、リブ３２２は、断面形状が三角形で、位置決め円柱部３２１の外周面から径方向外側に向かって暫時細くなっている。
【００２０】
円柱部３２１の径は、第１位置決め穴１１２ａおよび第２位置決め穴１２２ａの径よりも小さく設定されている。４つのリブ３２２の外接円の径は、第１位置決め穴１１２ａおよび第２位置決め穴１２２ａの径よりも大きく設定されている。
【００２１】
ピンガイド部３３は、位置決めピン先端に向かって細くなる円錐状になっている。そして、ピンガイド部３３は、サーボモーター１を空調ケース２に組み付ける際に、第１位置決め穴１１２ａおよび第２位置決め穴１２２ａをピン位置決め部３２に案内するようになっている。
【００２２】
保持片４は、位置決めピン３よりもサーボモーター１から遠い位置に配置されている。換言すると、保持片４とサーボモーター１との間に位置決めピン３が配置されている。
【００２３】
保持片４は、空調ケース本体部２１から突出するとともに弾性変形が可能な２つの脚部４１と、脚部４１の先端部から折れ曲がって延びて、第１突起片１１２における第１位置決め穴１１２ａよりも突起片先端側の部位と係合する係合部４２とを備えている。換言すると、２つの脚部４１の先端部同士が係合部４２により連結されており、保持片４は門型の形状になっている。
【００２４】
係合部４２における位置決めピン３側の案内面４２１は、サーボモーター１を空調ケース２に組み付ける際には、第１突起片１１２および第２突起片１２２の先端が摺動するようになっている。
【００２５】
係合部４２における空調ケース本体部２１側の係合面４２２は、第１突起片１１２における第１位置決め穴１１２ａよりも先端側の部位と係合するようになっている。また、係合面４２２は、３箇所のピン座面３１２ａのうちの１つと対向している。
【００２６】
ここで、係合面４２２とピン座面３１２ａとの間の寸法を、挟持部寸法ａとする。また、第１突起片１１２と第２突起片１２２が重なる方向を突起片重なり方向Ｂ（図３、図５の紙面上下方向）とする。さらに、第１突起片１１２および第２突起片１２２が弾性変形していない状態（図５に示す状態）における、第１突起片１１２と第２突起片１２２の突起片重なり方向Ｂの寸法が最大になっている部位の寸法を、突起片重なり方向寸法ｂとする。そして、突起片重なり方向寸法ｂは、挟持部寸法ａよりも大きく設定されている。
【００２７】
次に、空調ケース２へのサーボモーター１の組み付けについて説明する。
【００２８】
先ず、第２位置決め穴１２２ａにピンガイド部３３を挿入し、さらにサーボモーター１を移動させて、第１位置決め穴１１２ａおよび第２位置決め穴１２２ａにピン位置決め部３２を嵌合させる。
【００２９】
ここで、リブ３２２の外接円の径は第１位置決め穴１１２ａおよび第２位置決め穴１２２ａの径よりも大きいため、リブ３２２の先端が潰れた状態で、ピン位置決め部３２と第１位置決め穴１１２ａおよび第２位置決め穴１２２ａとが嵌合される。
【００３０】
また、第２位置決め穴１２２ａにピンガイド部３３を挿入し、さらにサーボモーター１を移動させる際、サーボモーター１は、第１突起片１１２および第２突起片１２２が案内面４２１を摺動しつつ、第１突起片１１２および第２突起片１２２が係合部４２を押して脚部４１を弾性変形させて進む。
【００３１】
そして、第２突起片１２２がピン座面３１２ａに当接した後、第２突起片１２２を弾性変形させつつさらにサーボモーター１を移動させると、第１突起片１１２が案内面４２１から外れ、脚部４１が復元力により元の形状に復帰して、第１突起片１１２と係合面４３２が係合する。
【００３２】
ここで、突起片重なり方向寸法ｂは挟持部寸法ａよりも大きいため、第１突起片１１２は弾性変形した状態で係合面４３２と当接し、第２突起片１２２は弾性変形した状態でピン座面３１２ａと当接する。
【００３３】
以上述べたように、本実施形態によると、第１突起片１１２と係合面４３２との間、および第２突起片１２２とピン座面３１２ａとの間に隙間が発生しないため、突起片重なり方向Ｂへのサーボモーター１のがたつきを防止することができる。
【００３４】
また、リブ３２２の先端が潰れた状態でピン位置決め部３２と第１位置決め穴１１２ａおよび第２位置決め穴１２２ａとが嵌合されるため、ピン位置決め部３２の径方向（すなわち、突起片重なり方向Ｂに対して垂直方向）へのサーボモーター１のがたつきを防止することができる。
【００３５】
また、第１モーターケース１１および第２モーターケース１２は、それを成型する従来の型を一部修正して用いることができる。
【００３６】
なお、図６に示す変形例のように、第２突起片１２２とピン座面３１２ａとの間に、発泡性ゴム等よりなるリング状のクッション部材５を装着してもよい。これによると、クッション部材５によっても、突起片重なり方向Ｂへのサーボモーター１のがたつきを防止することができる。
【００３７】
（他の実施形態）
上記実施形態では、本発明を空調装置に適用したが、本発明は空調装置以外にも適用することができる。
【００３８】
なお、本発明は上記した実施形態に限定されるものではなく、特許請求の範囲に記載した範囲内において適宜変更が可能である。
【００３９】
また、上記実施形態において、実施形態を構成する要素は、特に必須であると明示した場合および原理的に明らかに必須であると考えられる場合等を除き、必ずしも必須のものではないことは言うまでもない。
【００４０】
また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。
【００４１】
また、上記実施形態において、構成要素等の形状、位置関係等に言及するときは、特に明示した場合および原理的に特定の形状、位置関係等に限定される場合等を除き、その形状、位置関係等に限定されるものではない。
【符号の説明】
【００４２】
１        サーボモーター（第１部品）
２        空調ケース（第２部品）
４        保持片
２１      空調ケース本体部（第２部品の本体部）
４１      脚部
４２      係合部
１１２    第１突起片
１２２    第２突起片
３１２ａ  ピン座面（座面）
【図１】
2015183841.tif 000003
【図２】
2015183841.tif 000004
【図３】
2015183841.tif 000005
【図４】
2015183841.tif 000006
【図５】
2015183841.tif 000007
【図６】
2015183841.tif 000008